(57)【要約】【課題】マイナスイオン効果や光触媒効果を発現させることができ、特に、消臭効果に優れた快適時計を提供することを目的とする。【解決手段】快適時計１０のムーブにより駆動される振り子２を外気に晒した状態で設ける。また、その振り子２の最外表面に微粉末状態の酸化チタン及び／又は石英斑岩をコーティングする。コーティングは、アクリル樹脂、エポキシ樹脂、ウレタン樹脂又はポリエステル樹脂に微粉末状態の酸化チタン及び／又は石英斑岩を混入し、これを振り子の表面に塗布し、放置することにより行う。また、樹脂が硬化した後、振り子２の表面を研磨することが好ましい。【選択図】図４
2004093134.tif 000002
【特許請求の範囲】
【請求項１】
ムーブにより駆動され、かつ外気に晒される振り子又は回転振り子を備え、少なくとも前記振り子又は回転振り子の最外表面に、酸化チタン、又は石英斑岩、トルマリン、角閃石若しくは花崗斑岩から選ばれる鉱石のうち一種又は二種以上の微粉末が固定されていることを特徴とする快適時計。
【請求項２】
前記微粉末は、樹脂の持つバインダ効果を介して、前記振り子又は回転振り子の表面にコーティングされていることを特徴とする請求項１に記載の快適時計。
【請求項３】
前記樹脂は、アクリル樹脂、エポキシ樹脂、ウレタン樹脂及びポリエステル樹脂から選ばれる１種又は２種以上であることを特徴とする請求項２に記載の快適時計。
【請求項４】
前記微粉末が固定された前記振り子又は回転振り子の表面が研磨されていることを特徴とする請求項１から３までのいずれかに記載の快適時計。
【請求項５】
前記振り子又は回転振り子の表面にレーザー加工が施されていることを特徴とする請求項１から４までのいずれかに記載の快適時計。
【請求項６】
前記振り子又は回転振り子は取り外し又は取り替え可能であることを特徴とする請求項１から５までのいずれかに記載の快適時計。
【請求項７】
酸化チタン、又は石英斑岩、トルマリン、角閃石若しくは花崗斑岩から選ばれる鉱石のうち一種又は二種以上の微粉末と樹脂とを混合したものを、木材、プラスチック材料、金属材料、セラミック材料、木質系集合材又は紙材からなり、かつムーブにより駆動される振り子又は回転振り子の最外表面にコーティングすることを特徴とする快適時計の製造方法。
【請求項８】
酸化チタン、又は石英斑岩、トルマリン、角閃石若しくは花崗斑岩から選ばれる鉱石のうち一種又は二種以上の微粉末を布、紙その他の繊維に染みこませ固定したものを、木材、プラスチック材料、金属材料、セラミック材料、木質系集合材又は紙材からなり、かつムーブにより駆動される振り子又は回転振り子の最外表面に貼り付けることを特徴とする快適時計の製造方法。
【請求項９】
酸化チタン、又は石英斑岩、トルマリン、角閃石若しくは花崗斑岩から選ばれる鉱石のうち一種又は二種以上の微粉末をプラスチック樹脂、セラミック材料、木質系集合材又は紙材に混合し、その混合物を型に入れて成型したもの又はその混合物を手作業若しくは機械により成型したものをムーブにより駆動される振り子又は回転振り子とする快適時計の製造方法。
【請求項１０】
前記微粉末が固定された前記振り子又は回転振り子の最外表面を研磨することを特徴とする請求項７から９までのいずれかに記載の快適時計の製造方法。
【請求項１１】
前記振り子又は回転振り子の表面に、さらに酸化チタンをコーティングすることを特徴とする請求項７から１０までのいずれかに記載の快適時計の製造方法。
【請求項１２】
酸化チタン、又は石英斑岩、トルマリン、角閃石若しくは花崗斑岩から選ばれる鉱石のうち一種又は二種以上を含む成形体又は焼結体の表面に、酸化チタンを含有する釉薬を塗布し、焼成したものを振り子又は回転振り子とする快適時計の製造方法。
【発明の詳細な説明】
【０００１】
【発明の属する技術分野】
本発明は、快適時計及びその製造方法に関し、さらに詳しくは、マイナスイオン効果（例えば、消臭効果）や光触媒効果を発現させることができる快適時計及びその快適時計を製造する方法に関する。
【０００２】
【従来の技術】
この種の技術として例えば、特開２００２−１７３４３２号公報に開示された心身活性・清浄化装置が知られている。この心身活性・清浄化装置は、居ながらにして手軽に経済的に心身を活性化して元気を取り戻し、又身辺の異臭悪臭やインフルエンザウイルスや有害細菌類をも抑制乃至滅除して身辺を清潔にし健全状況を取り戻すことにより、身も心も爽やかにリフレッシュできる心身の活性化と清浄化を図れる軽便な装置を提供するものである。この心身活性・清浄化装置は、人間が入って座れる大きさの筒体を直立可能な肉厚の紙管等で製作し、頂部に天蓋を取付け、側面に出入用のドアを設け、筒体の内部空間には回転羽根に電気石の微粉粒等を固着させたマイナスイオンを主とする活性化エネルギーの活性化送風機と、消臭作用、芳香作用又は抗菌、抗ウィルス作用を有する清浄化液の水溶液を微粒子状煙霧として吹出す清浄化煙霧器とをそれぞれ１基又はそれ以上固定式又は調整可能に設置し、これら活性化送風機と清浄化煙霧器に給電する電力取入れ部を設けたものである。
【０００３】
また、特開２００１−２８８６７９号公報に開示されたマイナスイオン発生部材は、マイナスイオンの発生、遠赤外線効果による保温、消臭性などの優れた機能を発現させるべく、車の内装品、電車のシートカバー類、電気マッサージ機のシートカバー類、ベッドカバー類、布団カバー類、寝袋カバー類および枕のカバー類等に用いることを目的として作製されたものである。また、特開平１０−５７６７号公報に開示された浄化／消臭棒は、マイナスイオン化させて、マイナスイオン効果を発現させることにより水の浄化及び／又は消臭を行うことを目的としている。このようにマイナスイオン効果を発現させることにより消臭効果を得るべく種々の発明がなされている。
【０００４】
さらに、材料表面にある種の半導体を固定し、この半導体に特定の波長を有する光を当てると、材料表面にある有機物が分解されたり、あるいは材料表面が親水化する。このような現象は、光触媒効果として知られている。特に、酸化チタンは、太陽光や蛍光灯に含まれるごく僅かな紫外線によって励起され、微量の有機物を効率よく分解することができることから、外装壁材の汚れ防止、ガラスの曇り止め、病院内や医療器具の抗菌化などに利用されている。
【０００５】
【発明が解決しようとする課題】
しかしながら、これら従来のものは、マイナスイオン効果を発現させるべく特別に装置を製造する必要があるため、装置そのものが非常に高価になるという問題がある。特に、特開２００２−１７３４３２号公報のものは、特に大がかりな装置が必要になるし、運転時のみしか効果が得られないという問題がある。特開２００１−２８８６７９号公報のものは就寝時や車中でしか利用できず、特開平１０−５７６７号公報のものは水の浄化を目的とするため、日常生活の大部分をしめる居住空間・作業空間では利用できないという問題がある。
【０００６】
このような問題が生じるのは、振動・揺動又は空気の流れを何らかの方法で発生させる必要があるからと考えられる。なぜなら、ある物体からマイナスイオン効果を発現させるためには、振動・揺動又は空気の流れが必要になるからである。ちなみに、図７（ｂ）に示したように静止状態のものではプラスイオンとマイナスイオンとが互いに引き合いマイナスイオンを発生させることができない。従って、上記従来のものでは、大がかりな装置や何らかの電動制御を利用して、振動・揺動又は空気の流れを作り出したものといえる。
【０００７】
しかしながら、日常生活の大部分を占める居住空間・作業空間において、マイナスイオン効果を発現させることのみを目的として、揺動・振動又は空気の流れを作り出すと、そのために必要な装置の動きは人の気に触ることがあり、人が集中作業を行う場合には、却って邪魔となる。かかる場合には装置を停止せざるを得ず、停止させたままではマイナスイオン効果を発現させる装置を設置しても装置が無駄になる。
【０００８】
そこで、本発明者は、人の気に触るようなことのない態様で、しかも、電気代や設置スペースを節約しながら、振動・揺動又は空気の流れをうまく作り出すことができないかを念頭に試行錯誤を重ねたところ、時計のムーブにより駆動される振り子又は回転振り子にマイナスイオン効果を発現する物質を用いれば、これらの問題を解決しつつ、マイナスイオン効果を発現させることができるのではないかと想到するに至った。また、振り子又は回転振り子に光触媒効果を発現する物質を用いれば、振り子又は回転振り子の対流作用と光触媒効果により効率よく空気を浄化できるのではないかと想到するに至った。
【０００９】
本発明は、マイナスイオン効果を発現させることができ、特に、消臭効果に優れた快適時計及びその製造方法を提供することを目的とする。また、本発明は、光触媒効果、又は、マイナスイオン効果及び光触媒効果の双方を発現させることができる快適時計及びその製造方法を提供することを目的とする。
【００１０】
【課題を解決するための手段】
上記課題を解決するために、請求項１に記載の発明に係る快適時計は、ムーブにより駆動され、かつ外気に晒される振り子又は回転振り子を備え、少なくとも前記振り子又は回転振り子の最外表面に、酸化チタン、又は石英斑岩、トルマリン、角閃石若しくは花崗斑岩から選ばれる鉱石のうち一種又は二種以上の微粉末が固定されていることを要旨とするものである。
【００１１】
酸化チタンは、光触媒として知られており、僅かな紫外線を照射することによって、タバコヤニ、アンモニア、窒素酸化物、ダイオキシン、ホルムアルデヒドなどの有機物質を分解したり、大気中に浮遊する細菌を死滅させたり、細菌の死骸や細菌が排出する有毒物質を分解することができる。
【００１２】
前記石英斑岩、トルマリン、角閃石及び花崗斑岩は、いずれもエネルギー鉱石として知られており、火山国でないと採取できない。特に、石英斑岩は、我が国の南アルプスから産出され最近発見された鉱石であり、トルマリンは南アフリカから産出される。前記石英斑岩、トルマリン、角閃石及び花崗斑岩は、いずれも常温でマイナスイオンを発生させ、還元力により消臭効果が高い。消臭効果に優れるのはいずれも多孔質であるため、悪臭成分がその多孔に吸着されると考えられるからである。また、微粉化させてもその多孔質性には何ら影響を与えない。
【００１３】
例えば、図１は、エネルギー鉱石類のマイナスイオン発生量を比較して示したグラフである。同図に示したように、石英斑岩は３５０個／ｃｃ、トルマリンは２５０個／ｃｃ、角閃石は１５０個／ｃｃと他の鉱石（黒曜石、岐阜麦飯石、南京麦飯石）に比べて優れたマイナスイオン発生活性を示す。これらの効果は、エネルギー鉱石を微粉末状態にしても何ら失われることはない。
【００１４】
また、図２は、石英斑岩について水道水の波動変化を示した図である。同図に示したように、波動値が０以下の水道水には、健康を害するおそれのある環境汚染物質が含まれるが、石英斑岩を通した水は、波動値が２０近くになる。そのため、石英斑岩は癒し効果があることがわかる。
本発明は上記のようなマイナスイオン発生活性を活かして消臭効果等の環境浄化を目的として、また、癒し効果をも得られ、さらに光触媒効果も得られるように、時計のムーブにより駆動される振り子又は回転振り子の少なくとも表面に、酸化チタン及び／又はエネルギー鉱石を微粉末状態にして固定したものである。
【００１５】
上記のように構成された請求項１に係る快適時計によれば、振り子又は回転振り子は外気に晒された状態で絶えず振動又は揺動するため、空気の流れが発生する。従って、振り子又は回転振り子の少なくとも表面に石英斑岩、トルマリン、角閃石又は花崗斑岩から選ばれる鉱石のうち一種又は二種以上の微粉末を固定した場合には、振り子又は回転振り子からマイナスイオンを絶えず発生させることができると同時に、大気中の悪臭成分がマイナスイオンを発生している孔に吸着される。そのため、日常生活の大部分を占める居住空間・作業空間にこれを用いれば、消臭効果や癒し効果が得られる。
【００１６】
また、振り子又は回転振り子の少なくとも表面に酸化チタンの微粉末を固定し、太陽光や蛍光灯などの紫外線を含む光が照射される環境下で快適時計を使用した場合には、振り子又は回転振り子が発生させる対流と酸化チタンの光触媒効果によって、空気を効率よく浄化することができる。
【００１７】
さらに、振り子又は回転振り子の少なくとも表面に酸化チタンの微粉末及び石英斑岩等の鉱石の微粉末の双方を固定した場合には、日中や蛍光灯使用時など紫外線が照射される環境下では、光触媒効果とマイナスイオン効果の双方が得られ、夜間や蛍光灯消灯時にはマイナスイオン効果が得られる。
【００１８】
この場合に、請求項２に記載されるように、前記酸化チタン、又は石英斑岩、トルマリン、角閃石若しくは花崗斑岩から選ばれる鉱石のうち一種又は二種以上の微粉末は、樹脂の持つバインダ効果を介して、振り子又は回転振り子の表面にコーティングすることができる。バインダとしては、請求項３に記載されるように、アクリル樹脂、エポキシ樹脂、ウレタン樹脂及びポリエステル樹脂から選ばれる１種又は２種以上を用いることが望ましい。また、これらの樹脂を含む微粉末を振り子又は回転振り子の表面に塗布し、揮発、熱硬化、二液混合硬化、湿気硬化等により微分末を固定した場合、請求項４に記載されるように、微粉末が固定された振り子又は回転振り子の表面は、研磨されていることが好ましい。振り子又は回転振り子の表面を研磨すると、酸化チタン、又は石英斑岩、トルマリン、角閃石若しくは花崗斑岩から選ばれる鉱石のうち一種又は二種以上の微粉末のみを最外表面に集合させたように均一にコーティングさせることができる。質感は、ざらっとした質感から平滑な質感まで、研磨の程度に応じて変化させることができる。
【００１９】
この場合に、請求項５に記載されるように、前記振り子又は回転振り子の表面にレーザー加工を施してもよい。そうすれば、装飾的効果が得られる。
【００２０】
また、請求項６に記載されるように、前記振り子又は回転振り子は取り外し又は取り替え可能とするとよい。古くなってマイナスイオン効果及び／又は光触媒効果が弱くなってきた場合には、取り外して洗浄・研磨することにより新品と同様のマイナスイオン効果及び／又は光触媒効果を発現させることができる。また、取り替え可能とすれば、破損した場合にも取り替えることができる。そのため、半永久的にマイナスイオン効果及び／又は光触媒効果を発現させることができる。
【００２１】
また、快適時計は、請求項７から９に記載される製造方法によって製造することができる。すなわち、請求項７に記載されるように、酸化チタン、又は石英斑岩、トルマリン、角閃石若しくは花崗斑岩から選ばれる鉱石のうち一種又は二種以上の微粉末と樹脂とを混合したものを、木材、プラスチック材料、金属材料、セラミック材料、木質系集合材又は紙材からなり、かつムーブにより駆動される振り子又は回転振り子の最外表面にコーティングして製造してもよいし、請求項８に記載されるように、酸化チタン、又は石英斑岩、トルマリン、角閃石若しくは花崗斑岩から選ばれる鉱石のうち一種又は二種以上の微粉末を布、紙その他の繊維に染みこませ固定したものを、木材、プラスチック材料、金属材料、セラミック材料、木質系集合材又は紙材からなり、かつムーブにより駆動される振り子又は回転振り子の最外表面に貼り付けて製造してもよいし、請求項９に記載されるように、酸化チタン、又は石英斑岩、トルマリン、角閃石若しくは花崗斑岩から選ばれる鉱石のうち一種又は二種以上の微粉末をプラスチック樹脂、セラミック材料、木質系集合材又は紙材に混合し、その混合物を型に入れて成型したもの又はその混合物を手作業若しくは機械により成型したものを振り子又は回転振り子として製造してもよい。さらに、請求項１０に記載されるように、微粉末が固定された振り子又は回転振り子の最外表面を研磨してもよい。
【００２２】
また、このようにして製造された快適時計の振り子又は回転振り子の表面に、さらに酸化チタンをコーティングしても良い。あるいは、酸化チタン、又は石英斑岩、トルマリン、角閃石若しくは花崗斑岩から選ばれる鉱石のうち一種又は二種以上を含む成形体又は焼結体の表面に、酸化チタンを含有する釉薬を塗布し、焼成したものを振り子又は回転振り子としてもよい。
【００２３】
【発明の実施の形態】
以下に本発明の好適な一実施の形態について図面を参照して説明する。
図３は、本発明の一実施の形態に係る快適時計１０の外観を示したものであり、図４は、ムーブにより駆動される振り子の表面を製造工程を含めて拡大して概念的に示したものである。
【００２４】
まず、これらの図を参照して本発明の第一の実施の形態について説明する。図３において、符号１は快適時計１０の文字盤や制御基盤等が内蔵された本体を示し、時刻を示す長針・短針が備えられている。符号２は外気に晒されて取り付けられる木製振り子又は木質系集合材若しくは紙材からなる振り子を示す。振り子の大きさは特に限定されないが、２０ｃｍ程度の小型時計で採用される５ｃｍ前後の振り子が好適である。小型時計の方が大型時計に比べると振り子の動きにより得られる運動エネルギーが大きくマイナスイオンの発生がより活発だからである。
【００２５】
振り子２は、少なくとも、その最外表面に微粉末状態の酸化チタン及び／又は石英斑岩、トルマリン、角閃石若しくは花崗斑岩から選ばれる一種若しくは二種以上の鉱石（以下、これらの鉱石を「石英斑岩等」という。）が固定されている。その微粉末状態の酸化チタン及び／又は石英斑岩等の固定方法としては、樹脂によるバインダ効果によりコーティングする方法が好適である。例えば、樹脂として水性アクリルエマルジョン樹脂を用いる場合、この水性アクリルエマルジョン樹脂と微粉末状の酸化チタン及び／又は石英斑岩等との混合物を振り子２の表面に塗布すると、水性アクリルエマルジョン樹脂が振り子２の内部に含浸され、微粉末状態の酸化チタン及び／又は石英斑岩等のみが最外表面に浮き上がったような状態になる（図４（ｂ）参照）。この場合、この状態のまま振り子２として使用してもよく、あるいは、美観を出すために、振り子２の最外表面を研磨してもよい。
一方、樹脂として二液硬化型樹脂を用いた場合、あるいは酸化チタン及び／又は石英斑岩等の微粉末とプラスチック樹脂等との混合物を成型したものを振り子として用いる場合等、酸化チタン及び／又は石英斑岩等の浮き上がりが少ない場合には、酸化チタン及び／又は石英班岩等を含む振り子２の最外表面を研磨し、外気に晒される石英班岩の割合を増加させるのが好ましい。
【００２６】
振り子２の表面には装飾を施してもよく、その装飾例として「ＷＯＯＤＹ　ＳＴＲＥＥＴ」という文字をレーザー加工により施した例が図５に示されている。酸化チタン及び／又は石英斑岩等の微粉末の表面は外気に露出している必要があり、通常行われているような塗料のコーティングによって装飾を施すと酸化チタン及び／又は石英斑岩等の表面を外気に晒すことができないから、レーザー加工により空いた多数の孔により装飾効果を出している。これにより、最外表面に固定された酸化チタン及び／又は石英斑岩等が外気に露出した状態を維持し、露出した微粉末状態の酸化チタンを光触媒として作用させ、あるいは露出した粉末状態の石英斑岩等からマイナスイオンが発生するようにしている。
【００２７】
また、振り子２は快適時計１０から取り外し又は取り替え可能に取り付けられる。そうすれば、古くなってマイナスイオン効果や光触媒効果が弱くなってきた場合には、取り外して洗浄・研磨することにより新品と同様のマイナスイオン効果及び／又は光触媒効果を発現させることができるし、取り替え可能とすれば、破損した場合にも取り替えることができるからである。
【００２８】
次に、第一の実施の形態に係る振り子２の製造方法について説明する。
まず、石英斑岩を粒径１〜４μｍ程度の微粉末状態にする。そして、水性アクリルエマルジョン樹脂（マイティ化学（株）製商品名「マイティエマルジョン」）に石英斑岩（粒径１〜４μｍ）を均一に混入し（重量比で、水性アクリルエマルジョン樹脂：石英斑岩＝０．５〜３：４）、混合樹脂を作製する。この混合樹脂を木製の、又は木質系集合材若しくは紙材からなる振り子２の表面にスプレーガンで均一に塗装し２０℃で所定時間（０．５〜１時間）放置する（図４（ａ）参照）。これにより、混合樹脂のうち水性アクリルエマルジョン樹脂成分は、細かいため振り子２の表面からその内部に含浸し、石英斑岩の微粉末は、振り子２の表面に露出した態様で水性アクリル樹脂エマルジョン樹脂を介して、振り子２の表面にコーティングされる。微粉末相互も水性アクリルエマルジョン樹脂を介して相互に結びついた状態になる（図４（ｂ）参照）。
【００２９】
一方、水性アクリルエマルジョン樹脂は、振り子２の内部に入り込むとともに微粉末状の石英斑岩同士を結びつけ、これらを振り子２の表面にコーティングさせる働きをすることになる。すなわち、水性アクリルエマルジョン樹脂の持つバインダー効果が十分発揮される。なお、本実施の形態の場合、美観を出すために、コーティング後の振り子２の表面を研磨してもよい。また、石英斑岩の微粉末に代えて酸化チタンの微粉末を用いても良く、あるいは石英斑岩の微粉末と酸化チタンの微粉末の双方を用いても良い。
【００３０】
次に、本発明の第二の実施の形態について説明する。第二の実施の形態は、快適時計１０の振り子として、プラスチック製、金属製又はセラミック製の振り子３を用いた例である。振り子３は次のようにして製造することができる。まず、石英斑岩を粒径１〜４μｍ程度の微粉末状態にする。そして、水性アクリルエマルジョン樹脂（マイティ化学（株）製商品名「マイティエマルジョン」）に石英斑岩（粒径１〜４μｍ）を均一に混入し（重量比で水性アクリルエマルジョン樹脂：石英斑岩＝０．５〜３：４）、混合樹脂を作製する。この混合樹脂を振り子３の表面にスプレーガンで均一に塗装し２０℃で所定時間（３時間）放置する。これにより、混合樹脂のうち水性アクリルエマルジョン樹脂成分は沈降し、石英斑岩の微粉末成分は浮き上がるため、石英斑岩の微粉末は、振り子３の表面に露出した態様で水性アクリルエマルジョン樹脂を介して当該振り子３の表面にコーティングされる。また、微粉末相互も水性アクリルエマルジョン樹脂を介して相互に結びついた状態になる。なお、本実施の形態の場合、美観を出すために、コーティング後の振り子２の表面を研磨してもよい。また、石英斑岩の微粉末に代えて酸化チタンの微粉末を用いても良く、あるいは石英斑岩の微粉末と酸化チタンの微粉末の双方を用いても良い。
【００３１】
次に、本発明の第三の実施の形態について説明する。まず、石英斑岩を粒径１〜４μｍ程度の微粉末状態にする。そして、二液性ウレタン樹脂（斉藤化学（株）製商品名「ビュータックファインΣ（シグマ）」）に石英斑岩（粒径１〜４μｍ）を均一に混入し（重量比で、二液性ウレタン樹脂：石英斑岩＝０．５〜３：４）、混合樹脂を作製する。この混合樹脂を木製の、又は木質系集合材若しくは紙材からなる振り子の表面にスプレーガンで均一に塗装し２０℃で所定時間（５〜１０時間）放置する（図４（ａ）参照）。硬化後、微粉末は、ウレタン樹脂に覆われた形になるので、振り子の表面を研磨し、より多くの石英斑岩が空気に晒されるようにすると良い。なお、本実施の形態において、石英斑岩の微粉末に代えて酸化チタンの微粉末を用いても良く、あるいは石英斑岩の微粉末と酸化チタンの微粉末の双方を用いても良い。
【００３２】
次に、本発明の第四の実施の形態について説明する。第四の実施の形態は、快適時計１０の振り子として、プラスチック製、金属製又はセラミック製の振り子を用いた例である。振り子は次のようにして製造することができる。まず、石英斑岩を粒径１〜４μｍ程度の微粉末状態にする。そして、二液性アクリル樹脂に石英斑岩を均一に混入し（重量比で、二液性アクリル樹脂：石英斑岩＝０．５〜３：４）混合樹脂を作製する。この混合樹脂を振り子の表面にスプレーガンで均一に塗装し２０℃で所定時間（３時間）放置する。硬化後、微粉末は、アクリル樹脂に覆われた形になるので、振り子の表面を研磨し、より多くの石英斑岩が空気に晒されるようにすると良い。なお、本実施の形態において、石英斑岩の微粉末に代えて酸化チタンの微粉末を用いても良く、あるいは石英斑岩の微粉末と酸化チタンの微粉末の双方を用いても良い。
【００３３】
次に、本発明の第五の実施の形態について説明する。第五の実施の形態は、快適時計１０の振り子として、木製、プラスチック製、金属製若しくはセラミック製の振り子４又は木質系集合材若しくは紙材からなる振り子４の表面に、石英斑岩の粉を布等に染みこませて固定したシート５を貼り付けたものを用いた例である（図６参照）。振り子４は次のようにして製造することができる。まず、石英斑岩を粒径１〜４μｍ程度の微粉末状態にする。そして、水性アクリルエマルジョン樹脂（マイティ化学（株）製商品名「マイティエマルジョン」）に石英斑岩（粒径１〜４μｍ）を均一に混入し（重量比で、水性アクリルエマルジョン樹脂：石英斑岩＝０．５〜３：４）、混合樹脂を作製する。この混合樹脂のうち石英斑岩の微粉末が布の表面で外気に晒されるような状態で染みこませ圧着させる（図６（ａ）参照）。次いで、シート５と振り子４とを貼り付ける（図６（ｂ）参照）。石英斑岩の微粉末は、シート５の表面に露出した態様で布の繊維と水性アクリル樹脂エマルジョン樹脂とを介して、振り子４の表面に固定される。微粉末相互も布の繊維と水性アクリルエマルジョン樹脂とを介して相互に結びつく。なお、本実施の形態の場合、美観を出すために、石英斑岩を含むシート５が貼り付けられた振り子４の表面を研磨しても良い。また、石英斑岩の微粉末に代えて酸化チタンの微粉末を用いても良く、あるいは石英斑岩の微粉末と酸化チタンの微粉末の双方を用いても良い。
【００３４】
次に、本発明の第六の実施の形態について説明する。第六の実施の形態は、快適時計１０の振り子として、プラスチック樹脂材料（ＡＢＳ樹脂、ＦＲＰ、アクリル樹脂、メラミン樹脂、塩化ビニル樹脂等）に石英斑岩（粒径１〜４μｍ）の微粉末を混合し（重量比で、プラスチック樹脂材料：石英斑岩＝１：５〜１０）、成型したものを用いた例である。石英斑岩の微粉末は、樹脂に均一に混合されるため、振り子の表面にも石英斑岩が均一に固定された状態を得ることができる。尚、振り子としてプラスチック樹脂材料に石英斑岩の微粉末を混合させた樹脂に代えてセラミック材料（陶土等）に石英斑岩（粒径１〜４μｍ）を混合し（重量比で、セラミック材料：石英斑岩＝１：１〜５）、成型したものを用いてもよい。あるいは、木質系集合材に石英斑岩の微粉末を混合させて成型したものや、紙材に石英斑岩の微粉末を混合し、成型したものを用いてもよい。さらに、本実施の形態の場合、成型後に振り子の最外表面を研磨し、より多くの石英斑岩が外気に晒されるようにすると良い。また、石英斑岩の微粉末に代えて酸化チタンの微粉末を用いても良く、あるいは石英斑岩の微粉末と酸化チタンの微粉末の双方を用いても良い。
【００３５】
次に、第一から第六の実施の形態に係る快適時計１０の動作について説明する。快適時計１０は、振り子２、３、４の表面に石英斑岩が露出した状態になっているため、微粉末状態の石英斑岩は、２４時間常時、周期的な運動状態に置かれることになる。そのため運動エネルギーがマイナスイオンの発生を大きくさせる。振り子に運動エネルギーを加えると、図７（ａ）に示したように石英斑岩の微粉末の表面のマイナスイオンが空気中に跳ね飛ばされるからである。ちなみに、静止状態にすると微粉末上のプラスイオンとマイナスイオンが移動して互いに打ち消し合うためマイナスイオンは発生しない（図７（ｂ）参照）。
【００３６】
また、石英斑岩に代えて酸化チタンが振り子の表面に固定されている場合において、振り子に紫外線が照射される状態で使用すると、振り子による対流効果と酸化チタンによる光触媒効果により空気が効率よく清浄化される。さらに、石英斑岩と酸化チタンの双方が振り子の表面に固定されている場合には、日中や蛍光灯使用時など紫外線が照射される環境下では、酸化チタンによる光触媒効果と石英斑岩によるマイナスイオン効果の双方が得られ、夜間や蛍光灯消灯時にはマイナスイオン効果が得られる。
【００３７】
以上のように本実施形態ではマイナスイオン効果及び／又は光触媒効果を効果的に発生させることができる。また、石英斑岩の微粉末の多孔に、空気中の不快成分（たばこの煙、悪臭成分等）が効果的に吸着され、消臭効果を発現する。
【００３８】
次に、本発明の第７の実施の形態について説明する。本実施の形態に係る快適時計は、振り子又は回転振り子が、酸化チタン、又は石英斑岩、トルマリン、角閃石若しくは花崗斑岩から選ばれる鉱石のうちの一種又は二種以上を含む焼結体からなることを特徴とする。
【００３９】
振り子又は回転振り子の形状は、特に限定されるものではなく、快適時計の用途、大きさ等に応じて選択することができる。例えば、振り子又は回転振り子として、円盤型、釣り鐘型等の形状を有するものを使用することができる。特に、釣り鐘型等、表面積が相対的に大きな形状とすると、高いマイナスイオン効果及び／又は光触媒効果が得られるという利点がある。
【００４０】
振り子又は回転振り子は、酸化チタン又は石英斑岩等のいずれか一方のみを含む焼結体、あるいは双方が含まれる焼結体のいずれであっても良い。特に、酸化チタン及び石英斑岩等の双方を含む焼結体の場合には、石英斑岩等の持つマイナスイオン効果や消臭効果が得られるだけでなく、酸化チタンの持つ光触媒効果によって、窒素酸化物、ダイオキシン、ホルムアルデヒド、たばこの煙、アンモニア等の有害物質の吸着及び分解を強力に行うことができるという効果がある。すなわち、日中や就寝前等、振り子に紫外線が照射される条件下では、光触媒効果とマイナスイオン効果の相乗効果が得られ、また、光のなくなる深夜は、マイナスイオン効果と多孔質の石英斑岩等による有害物質の吸着効果が得られる。
【００４１】
焼結体に酸化チタン及び石英斑岩等の双方が含まれる場合、一般に、酸化チタン及び石英斑岩等に対する酸化チタンの割合が多くなるほど、高い光触媒効果が得られるが、マイナスイオン効果が低下する。高い光触媒効果と高いマイナスイオン効果の双方を得るためには、酸化チタンの割合は、５重量％以上２０重量％以下が好ましく、さらに好ましくは、７重量％以上１５重量％以下である。
【００４２】
また、振り子又は回転振り子は、酸化チタン及び／又は石英斑岩等のみを含む焼結体であっても良く、あるいは、酸化チタン及び／又は石英斑岩等と、酸化チタン及び石英斑岩等以外のセラミックス材料（例えば、陶土など）とを含む焼結体であっても良い。
【００４３】
特に、酸化チタン及び／又は石英斑岩等とセラミックス材料とを含む焼結体は、その組成を最適化することによって、高い機械的強度が得られ、製造も容易であるという利点がある。この場合、焼結体に含まれるセラミックス材料の含有量は、３０重量％以上７０重量％以下が好ましい。セラミックス材料の含有量が３０重量％未満であると、強度の高い焼結体が容易に得られない。一方、セラミックス材料の含有量が７０重量％を越えると、光触媒効果及び／又はマイナスイオン効果が小さくなるので好ましくない。セラミックス材料の含有量は、さらに好ましくは、４０重量％以上６０重量％以下である。
【００４４】
振り子又は回転振り子を構成する焼結体は、緻密質であっても良く、多孔質であっても良い。特に、焼結体中に石英斑岩等が含まれる場合には、焼結体は、多孔質であることが好ましい。多孔質の焼結体を用いると、焼結体の表面にある石英斑岩等だけでなく、焼結体内部にある石英斑岩等にも悪臭成分が吸着されるので、高い消臭効果が得られる。
【００４５】
また、本実施の形態に係る快適時計は、上述した焼結体からなる振り子又は回転振り子の表面に、さらに酸化チタンがコーティングされていても良い。石英斑岩等のみを含む焼結体の表面に酸化チタンをコーティングすると、マイナスイオン効果に加えて、光触媒効果を発現させることができる。また、酸化チタン及び石英斑岩等の双方を含む焼結体の表面にさらに酸化チタンをコーティングすると、光触媒効果をさらに高めることができる。
【００４６】
酸化チタンからなるコーティング層は、振り子又は回転振り子の表面の内、光が当たる部分（以下、これを「外表面」という。）に形成する。コーティング層は、外表面の全面に形成しても良く、あるいは、外表面の内、光が強く当たる部分にのみ形成しても良い。
【００４７】
また、酸化チタンのコーティング方法は、焼結体の持つ光触媒効果及び／又はマイナスイオン効果を妨げないものであれば良く、特に限定されるものではない。例えば、酸化チタンの微粉末と結合材（例えば、水性アクリルエマルジョン樹脂、ラッカー塗料、ウレタン塗料など）とを含むコーティング剤を焼結体の表面に塗布することによって、酸化チタンをコーティングしても良い。
【００４８】
また、例えば、酸化チタン及び／又は石英斑岩等を含む成形体又は焼結体に、酸化チタンを含む釉薬を塗布し、焼成することによって、酸化チタンをコーティングしても良い。この場合、酸化チタン及び釉薬に対する酸化チタンの割合は、１０重量％以上３０重量％以下が好ましい。酸化チタンの割合が１０重量％未満であると、高い光触媒効果が得られない。一方、酸化チタンの割合が３０重量％を越えると、強固なコーティング層が得られない。酸化チタンの割合は、さらに好ましくは、１５重量％以上２５重量％以下である。
【００４９】
本実施の形態に係る快適時計は、具体的には、以下のような方法を用いて製造することができる。まず、所定の比率で配合された酸化チタン（粒径１〜４μｍ）と石英斑岩（粒径１〜４μｍ）との混合物に対して、さらにセラミックス材料（陶土等）を所定の比率（例えば、（酸化チタン＋石英斑岩）：セラミックス材料＝１：１）で加えて混合し、これを所定の形状に成形する。次いで、得られた成形体を７００℃〜９００℃で焼成すれば、酸化チタン及び／又は石英斑岩を含む焼結体からなる振り子が得られる。
【００５０】
また、この振り子の表面に酸化チタンをコーティングする場合には、まず、上述のようにして得られた焼結体の表面に、所定量の酸化チタン（例えば、２０重量％）を含む釉薬を塗布し、これを４００℃〜６００℃で焼成すれば良い。これにより、酸化チタン及び／又は石英斑岩を含む焼結体の表面に、さらに酸化チタンがコーティングされた振り子が得られる。
【００５１】
なお、酸化チタン及び／又は石英斑岩を含む成形体の好適な焼結温度は、成形体の組成に応じて異なる。そのため、成形体の好適な焼結温度と釉薬の好適な焼成温度が近い場合には、酸化チタン及び／又は石英斑岩を含む成形体の表面に酸化チタンを含む釉薬を塗布し、成形体の焼結と同時に釉薬の焼成を行っても良い。また、釉薬を塗布する方法に代えて、他の方法を用いて酸化チタンをコーティングしても良い点は、上述したとおりである。
【００５２】
以上の実施の形態においては、石英斑岩の微粉末を用いた例を示したが、石英斑岩の微粉末に代えてトルマリン、角閃石、花崗斑岩の微粉末を用いてもよいし、石英斑岩、トルマリン、角閃石又は花崗斑岩から選ばれる二種以上の微粉末を混合した混合微粉末を用いてもよい。
【００５３】
また、石英斑岩やトルマリンは、ホルムアルデヒドやホルマリンの消臭能力に優れる。従って、本発明の一実施形態に係る快適時計は、日常生活の大半を占める居住空間・作業空間のみならず、トイレに設けたり、あるいは、マイナスイオン発生活性に着目し、コンピュータの付近に設けたりしてもよい。
【００５４】
また、酸化チタン及び／又は石英斑岩を含む振り子の表面にさらに酸化チタンのコーティングを行う方法は、酸化チタン及び／又は石英斑岩を含む成形体又は焼結体に対して適用できるだけではなく、上述した第１〜第６の実施の形態に係る方法を用いて製造された振り子に対しても適用できる。この場合、酸化チタンのコーティング方法は、振り子の材質に応じて最適なものを選択すればよい。
【００５５】
以上本発明の好適な実施の形態について説明したが、本発明は上記実施の形態に何ら限定されるものではない。例えば、上記実施形態においてはムーブにより駆動される振り子の例を掲げたが振り子に限らず、円盤状のものが回転するような形態のもの（例えば、回転振り子など）に用いてもよい。また、石英斑岩等の微粉末を振り子の表面に固定するために、アクリル樹脂等の合成樹脂に代えて、天然樹脂を用いても良い。
【００５６】
【発明の効果】
以上説明したように、本発明に係る快適時計は、ムーブにより駆動され、かつ外気に晒される振り子又は回転振り子を備え、少なくとも前記振り子又は回転振り子の最外表面に、酸化チタン、又は石英斑岩、トルマリン、角閃石若しくは花崗斑岩から選ばれる鉱石のうち一種又は二種以上の微粉末が固定されているものであるから、光触媒効果及び／又はマイナスイオン効果を発現させることができ、消臭効果も発現させることができる。また、快適時計の振り子又は回転振り子に応用したものであるから、人の気に触るようなことのない態様で、しかも、電気代や設置スペースを節約しながら、振動・揺動又は空気の流れをうまく作り出すことができるという効果がある。
【００５７】
本発明に係る快適時計の製造方法によれば、少なくとも振り子又は回転振り子の最外表面に、酸化チタン、又は石英斑岩、トルマリン、角閃石若しくは花崗斑岩から選ばれる鉱石のうち一種又は二種以上の微粉末を均一に固定することができるため、光触媒効果及び／又はマイナスイオン効果を発現させることができる快適時計を簡単に得ることができるという効果がある。従って、大がかりな装置を製造する必要がなくなるという効果がある。
【図面の簡単な説明】
【図１】エネルギー鉱石のマイナスイオン発生活性を示したグラフである。
【図２】石英斑岩の浄化効果を示した図である。
【図３】本発明の一実施の形態に係る快適時計の外観を示した図である。
【図４】本発明の一実施の形態に係る快適時計の振り子の表面を快適時計の製造工程とともに拡大して示した図である。
【図５】本発明の一実施形態に係る快適時計の振り子の表面に装飾を施した例を示した図である。
【図６】本発明の一実施の形態に係る快適時計の製造方法を説明するための図である。
【図７】マイナスイオンの発生について説明するための図である。
【符号の説明】
１０　快適時計
１　本体
２　木製振り子又は木質系集合材若しくは紙材からなる振り子
３　プラスチック製、金属製又はセラミック製の振り子
４　木製、木質系集合材、紙材、プラスチック製、金属製又はセラミック製の振り子
【図１】
2004093134.tif 000003
【図２】
2004093134.tif 000004
【図３】
2004093134.tif 000005
【図４】
2004093134.tif 000006
【図５】
2004093134.tif 000007
【図６】
2004093134.tif 000008
【図７】
2004093134.tif 000009